(57)【要約】【課題】低トルク化とシール性とを両立させることができる密封装置を提供する。【解決手段】密封流体をシールするシールリップ８と、シールリップ８の外側に配置されるネジポンプ機構９とを有し、ネジポンプ機構９は、シールリップ８に向けて流体ポンピング作用をなしてシールリップ８の緊迫力を低下させる。またハウジング２の軸孔３内周に嵌着される金属環５にゴム状弾性体６を被着してこのゴム状弾性体６によって、軸４の周面４ａに摺動自在に密接するシールリップ８と、シールリップ８の外側に配置されて軸４の周面４ａと対向する円筒面１０ａを備えた筒状部１０とを一体成形し、筒状部１０の円筒面１０ａまたはこれと対向する軸４の周面４ａにネジポンプ機構９のネジ１１を設ける。【選択図】図１
2005273693.tif 000002
【特許請求の範囲】
【請求項１】
密封流体をシールするシールリップ（８）と、前記シールリップ（８）の外側に配置されるネジポンプ機構（９）とを有し、
前記ネジポンプ機構（９）は、前記シールリップ（８）に向けて流体ポンピング作用をなして前記シールリップ（８）の緊迫力を実質低下させるものであることを特徴とする密封装置。
【請求項２】
請求項１の密封装置において、
ハウジング（２）の軸孔（３）内周に嵌着される金属環（５）にゴム状弾性体（６）を被着して前記ゴム状弾性体（６）によって、軸（４）の周面（４ａ）に摺動自在に密接するシールリップ（８）と、前記シールリップ（８）の外側に配置されて軸（４）の周面（４ａ）と対向する円筒面（１０ａ）を備えた筒状部（１０）とを一体成形し、
前記筒状部（１０）の円筒面（１０ａ）またはこれと対向する軸（４）の周面（４ａ）にネジポンプ機構（９）のネジ（１１）を設けたことを特徴とする密封装置。
【請求項３】
請求項１または２の密封装置において、
ネジポンプ機構（９）のネジ（１１）を、軸（４）の周面（４ａ）に設けたことを特徴とする密封装置。
【発明の詳細な説明】
【技術分野】
【０００１】
本発明は、密封装置に関するものである。本発明の密封装置は例えば、自動車関連分野に用いられ、またはその他の一般産業機械等に用いられる。
【背景技術】
【０００２】
図３に示すように、本願出願人が先に提案した密封装置５１はシールリップ５２を有しており、このシールリップ５２における大気Ａ側に、軸５３の周面に摺動自在に密接するリップ端５４が設けられるとともに、密封流体Ｂ側に、軸５３の回転時に流体ポンピング作用をなすネジポンプ機構のネジ５５が設けられている。ネジ５５は、軸５３が回転すると、密封流体Ｂを押し戻す方向（図上矢印方向）にポンピング作用をなす。
【０００３】
上記構成の密封装置５１は、一つのシールリップ５２にて、しめしろによるシール作用とポンピングによるシール作用とを同時に行なうことによりシール機能を発揮するように構成されている。またこの密封装置５１では、シールリップ５２の低トルク化について、シールリップ５２の小断面化による低緊迫力化（低面圧化）の手法で対応している。
【０００４】
しかしながら、上記構成の密封装置５１には、以下の点で更なる改良の余地がある。
【０００５】
すなわち、上記構成の密封装置５１において、シール性を確保するにはシールリップ５２の最低面圧を確保する必要があり、従来からの手法である低緊迫力化による低トルク化検討では、低トルク化とシール性の両立に限界がある。面圧低下による欠点としては、低温時における偏心追随性の低下やシール性の低下が懸念される。
【０００６】
【特許文献１】特開２００２−１７４３４６号公報
【発明の開示】
【発明が解決しようとする課題】
【０００７】
本発明は以上の点に鑑みて、低トルク化とシール性とを両立させることができる密封装置を提供することを目的とする。
【課題を解決するための手段】
【０００８】
上記目的を達成するため、本発明の請求項１による密封装置は、密封流体をシールするシールリップと、前記シールリップの外側に配置されるネジポンプ機構とを有し、前記ネジポンプ機構は、前記シールリップに向けて流体ポンピング作用をなして前記シールリップの緊迫力を実質低下させるものであることを特徴とする。
【０００９】
また、本発明の請求項２による密封装置は、上記した請求項１の密封装置において、ハウジングの軸孔内周に嵌着される金属環にゴム状弾性体を被着して前記ゴム状弾性体によって、軸の周面に摺動自在に密接するシールリップと、前記シールリップの外側に配置されて軸の周面と対向する円筒面を備えた筒状部とを一体成形し、前記筒状部の円筒面またはこれと対向する軸の周面にネジポンプ機構のネジを設けたことを特徴とする。
【００１０】
また、本発明の請求項３による密封装置は、上記した請求項１または２の密封装置において、ネジポンプ機構のネジを、軸の周面に設けたことを特徴とする。
【発明の効果】
【００１１】
本発明は、以下の効果を奏する。
【００１２】
すなわち、上記構成を備えた本発明の請求項１による密封装置においては、シールリップがシール作用をなして密封流体をシールする機能をなし、シールリップの外側に配置されたネジポンプ機構がシールリップに向けて流体ポンピング作用をなしてシールリップの緊迫力を実質低下させる機能をなす。したがって、このようにシール作用部とポンピング作用部とが明確に機能分担されるために、前者のシールリップによってシール性を確保するとともに、後者のネジポンプ機構によってシールリップの低トルク化を実現することができる。
【００１３】
請求項２では、軸の周面に摺動自在に密接してシール機能をなすシールリップと、軸と組み合わされてネジポンプ機構を構成する筒状部とが互いに一体成形されているために、一つのオイルシールにて、上記請求項１に係る作用効果をなす密封装置を構成することができる。
【００１４】
尚、上記請求項１または２では、ネジポンプ機構のネジは、筒状部の円筒面に設けられる場合と、筒状部の円筒面と対向する軸の周面に設けられる場合とがあるが、後者の軸の周面に設けられる場合の方が、ネジ溝開口断面積の制約等を受けないことから一般に、大きなポンピング力を得ることができる。したがって請求項３のように、ネジポンプ機構のネジを軸の周面に設けることにすると、比較的大きなポンピング力を発揮する密封装置を構成することができる。
【実施例】
【００１５】
つぎに本発明の実施例を図面にしたがって説明する。
【００１６】
図１は、本発明の実施例に係る密封装置１の半裁断面を示している。当該実施例に係る密封装置１は、ハウジング２の軸孔３内周に装着され、軸４の周面４ａに摺動自在に密接して潤滑油等の密封流体Ｂをシールするものであって、以下のように構成されている。
【００１７】
すなわち先ず、ハウジング２の軸孔３内周に嵌着される金属環５が設けられており、この金属環５にゴム状弾性体６が加硫接着されている。ゴム状弾性体６には、金属環５およびハウジング２間にて径方向に圧縮されて密封流体Ｂをシールする外周シール部７と、軸４の周面４ａに摺動自在に密接して密封流体Ｂをシールするシールリップ８と、シールリップ８の外側（大気Ａ側）に配置され、軸４の周面４ａと対向してネジポンプ機構９をなす筒状部１０とが一体に成形されており、互いに径方向に対向する筒状部１０の円筒面１０ａと軸４の周面４ａのうち、後者の軸４の周面４ａにネジポンプ機構９のネジ１１が設けられている。ネジポンプ機構９は、軸４の回転時、シールリップ８に向けて図上矢印方向に流体ポンピング作用をなし、シールリップ８の緊迫力を低下させる。
【００１８】
上記構成の密封装置１においては、上記したようにシールリップ８がシール作用をなして密封流体Ｂをシールする機能をなし、シールリップ８の外側に配置されたネジポンプ機構９がシールリップ８に向けて流体ポンピング作用をなしてシールリップ８の緊迫力を低下させる機能をなす。緊迫力が低下するのは、ネジポンプ機構９による流体ポンピング作用によりシールリップ８の大気側圧力が高められるからである。したがって、シール作用部とポンピング作用部とが明確に機能分担されることから、前者のシールリップ８によってシール性を確保するとともに、後者のネジポンプ機構９によってシールリップ８の低トルク化を実現することができ、よって所期の目的どおり、低トルク化とシール性とを両立させることができる密封装置１を提供することができる。
【００１９】
また、図示したように、密封装置１全体が１個部品のオイルシールとして構成されることから、その製造、運搬、保管および着脱等の取扱いが容易な密封装置１を提供することができる。
【００２０】
また、ネジポンプ機構９のネジ１１が、ネジ溝開口断面積の大きさの制約がない軸４の周面４ａに設けられていることから、比較的大きなポンピング力を発揮する密封装置１を提供することができる。
【００２１】
尚、上記実施例では、筒状部１０の円筒面１０ａとこれに対向する軸４の周面４ａとの間には、所定の大きさの径方向クリアランスｃが設定されるが、筒状部１０の円筒面１０ａはこれを軸４の周面４ａに摺動自在に接触させるように構成しても良い。但し、この場合は、低トルク化を実現すべく、筒状部１０の円筒面１０ａにコーティング処理を施したり、あるいは図２に示すように円筒面１０ａに摺動リング１２を装着したりする。装着リング１２の材質としては、耐摩耗性および低摩擦特性を備えた樹脂材料、例えばポリテトラフルオロエチレン（ＰＴＦＥ）等が好適である。
【図面の簡単な説明】
【００２２】
【図１】本発明の実施例に係る密封装置の半裁断面図
【図２】本発明の他の実施例に係る密封装置の半裁断面図
【図３】従来例に係る密封装置の説明図
【符号の説明】
【００２３】
１  密封装置
２  ハウジング
３  軸孔
４  軸
４ａ  周面
５  金属環
６  ゴム状弾性体
７  外周シール部
８  シールリップ
９  ネジポンプ機構
１０  筒状部
１０ａ  円筒面
１１  ネジ
１２  摺動リング
Ａ  大気側
Ｂ  密封流体側
ｃ  径方向クリアランス
【図１】
2005273693.tif 000003
【図２】
2005273693.tif 000004
【図３】
2005273693.tif 000005